(57)【要約】【課題】小型軽量で、携帯に便利な携帯電話機用充電器を提供する。【解決手段】携帯電話機２４の端子２５に接続される携帯電話機用充電器において、乾電池１４を収納可能な乾電池ボックス１１と、乾電池ボックス１１に突没可能に収納され、外側端部に携帯電話機２４の端子２５に接続されるコネクタ部２６を有するコネクタ本体１２と、コネクタ本体１２の内側端部及び乾電池ボックス１１の内部に設けられ、該乾電池ボックス１１に乾電池１４を収納したとき該乾電池１４の電極と導通状態に接続される接触部１９，２３とからなり、乾電池ボックス１１に乾電池１４を収納しない空の状態においてはコネクタ部２６を含むコネクタ本体１２の全体が乾電池ボックス１１に没入され、乾電池ボックス１１に乾電池１４を収納した状態においてはコネクタ部２６が携帯電話機２４の端子２５に接続可能に乾電池ボックス１１から突出されることを特徴とする。【選択図】図１
2008172954.tif 000002
【特許請求の範囲】
【請求項１】
携帯電話機の端子に接続される携帯電話機用充電器において、
乾電池を収納可能な乾電池ボックスと、
前記乾電池ボックスに突没可能に収納され、外側端部に前記携帯電話機の端子に接続されるコネクタ部を有するコネクタ本体と、
前記コネクタ本体の内側端部及び前記乾電池ボックスの内部に設けられ、該乾電池ボックスに乾電池を収納したとき該乾電池の電極と導通状態に接続される接触部とからなり、
前記乾電池ボックスに乾電池を収納しない空の状態においては前記コネクタ部を含むコネクタ本体の全体が前記乾電池ボックスに没入され、前記乾電池ボックスに乾電池を収納した状態においては前記コネクタ部が前記携帯電話機の端子に接続可能に前記乾電池ボックスから突出されることを特徴とする携帯電話機用充電器。
【請求項２】
前記乾電池ボックスと前記コネクタ本体には係合手段を有し、前記乾電池ボックスに対して前記コネクタ本体を所定の位置まで突出したとき互いに係合するとともに、前記コネクタ本体は、前記乾電池ボックスに対して完全に没入したとき、全長の略１／２の長さに短縮することを特徴とする請求項１記載の携帯電話機用充電器。
【請求項３】
前記乾電池ボックス及びコネクタ本体は、合成樹脂成形品であり、合成樹脂の弾性を利用して互いに嵌合結合されていることを特徴とする請求項１記載の携帯電話機用充電器。
【請求項４】
前記コネクタ本体には前記乾電池ボックスに対して突没する際の指掛け部を有し、この指掛け部にストラップ用穴を設け、充電器を携帯電話機に吊下げ可能であることを特徴とする請求項１記載の携帯電話機用充電器。
【発明の詳細な説明】
【技術分野】
【０００１】
本発明は、携帯電話機に内蔵された電池が消耗したとき、携帯電話機の端子に接続することにより充電できる携帯電話機用充電器に関する。
【背景技術】
【０００２】
携帯電話機に内蔵された電池は充電可能であるが、電池が消耗していても充電を忘れたり、長時間の通信・通話によって使用中に電池が消耗して通信・通話不能になって不便を感じることがある。このような場合に携帯電話機の端子に接続することにより通信・通話できるとともに、充電できる携帯電話機用充電器が知られている（例えば、特許文献１及び２参照。）。
【０００３】
特許文献１は、乾電池が収納される充電器本体としてのケースと、このケースに着脱自在に結合してケースを閉塞するカバーとからなり、ケースの内底部に乾電池の一方の電極と接触する第１電池端子を設け、カバーに乾電池の他方の電極と接触する第２電池端子及び携帯電話機の端子に接続されるコネクタを設けた携帯電話機用充電器である。
【０００４】
特許文献２は、乾電池が収納される充電器本体の端部に外部に向かって開口するコネクタ挿入孔が設けられ、このコネクタ挿入孔に充電器側端子部を備えたコネクタが挿脱可能に設けられている。このコネクタは種々の携帯電話機の電源端子に対応する携帯側端子部を有する複数の種類からなり、コネクタを充電器本体のコネクタ挿入孔に選択的に挿入することにより、複数種類の携帯電話機の充電に利用できるようにしたものである。
【特許文献１】特開２００５−２０８６７号公報
【特許文献２】特開２００６−６０９５号公報
【発明の開示】
【発明が解決しようとする課題】
【０００５】
しかしながら、特許文献１及び２の携帯電話機用充電器は、いずれも充電器本体が複数本の乾電池の全体を包容する構造であり、この充電器本体の長手方向の一端部に携帯電話機の電源端子に接続されるコネクタが突出して設けられている。従って、充電器全体が大きくなって嵩張り、しかも充電器本体に複数本の乾電池が収納されているために重くなり、出張や旅行に携帯するにしても不便である。
【０００６】
本発明は、前記事情に着目してなされたもので、その目的とするところは、小型軽量で、携帯に便利な携帯電話機用充電器を提供することにある。
【課題を解決するための手段】
【０００７】
本発明は、前記目的を達成するために、請求項１は、携帯電話機の端子に接続される携帯電話機用充電器において、乾電池を収納可能な乾電池ボックスと、前記乾電池ボックスに突没可能に収納され、外側端部に前記携帯電話機の端子に接続されるコネクタ部を有するコネクタ本体と、前記コネクタ本体の内側端部及び前記乾電池ボックスの内部に設けられ、該乾電池ボックスに乾電池を収納したとき該乾電池の電極と導通状態に接続される接触部とからなり、前記乾電池ボックスに乾電池を収納しない空の状態においては前記コネクタ部を含むコネクタ本体の全体が前記乾電池ボックスに没入され、前記乾電池ボックスに乾電池を収納した状態においては前記コネクタ部が前記携帯電話機の端子に接続可能に前記乾電池ボックスから突出されることを特徴とする。
【０００８】
請求項２は、請求項１において、前記乾電池ボックスと前記コネクタ本体には係合手段を有し、前記乾電池ボックスに対して前記コネクタ本体を所定の位置まで突出したとき互いに係合するとともに、前記コネクタ本体は、前記乾電池ボックスに対して完全に没入したとき、全長の略１／２の長さに短縮することを特徴とする。
【０００９】
請求項３は、請求項１の前記乾電池ボックス及びコネクタ本体は、合成樹脂成形品であり、合成樹脂の弾性を利用して互いに嵌合結合されていることを特徴とする。
【００１０】
請求項４は、請求項１の前記コネクタ本体には前記乾電池ボックスに対して突没する際の指掛け部を有し、この指掛け部にストラップ用穴を設け、充電器を携帯電話機に吊下げ可能であることを特徴とする。
【発明の効果】
【００１１】
本発明によれば、携帯電話機に内蔵された電池が消耗したとき、携帯電話機の端子に接続することにより充電できる。また、充電器が小型軽量であり、特に乾電池ボックスから乾電池を抜いたときには、乾電池が収納された状態より充電器全体が略１／２の大きさになり、携帯電話機にストラップアクセサリーとして吊下げて携帯できる。
【００１２】
さらに、乾電池ボックスから乾電池を抜いたときには電池ボックスの内部にコネクタ部を含むコネクタ本体の全体が納まるため、携帯時にコネクタ部が障害物と干渉することはなく、コネクタ部の破損を未然に防止できる。
【００１３】
また、乾電池ボックス及びコネクタ本体は、合成樹脂の弾性を利用して互いに嵌合結合されるため、組立て時に締付けねじ等が不要となり、組立て作業性の向上とコストダウンを図ることができる。
【００１４】
さらに、コネクタ本体の指掛け部にストラップ用穴を有しているため、ストラップ用穴を別途設けることなく、充電器を携帯電話機に吊下げ可能である。
【発明を実施するための最良の形態】
【００１５】
以下、本発明の実施の形態を図面に基づいて説明する。
【００１６】
図１及び図２は、携帯電話機用充電器の斜視図、図３は乾電池ボックスから乾電池を抜き取った状態の斜視図、図４は乾電池ボックスにコネクタ本体を没入した状態の斜視図、図５は乾電池ボックスとコネクタ本体とを分解した状態の縦断側面図、図６は充電器を携帯電話機にストラップアクセサリーとして吊下げた状態の斜視図である。
【００１７】
携帯電話機用充電器１０は、図１〜図５に示すように、乾電池ボックス１１とコネクタ本体１２とから構成されている。乾電池ボックス１１は合成樹脂材料によって一体に成形された成形品であり、一端に開口部１３を有して矩形状に形成されている。乾電池ボックス１１には、開口部１３から単４の乾電池１４を平行に並べた状態で挿入できる大きさであり、その深さは単４の乾電池１４の長さより若干浅く形成されている。
【００１８】
乾電池ボックス１１の前後両側部における開口部１３側には係合手段を構成する係合爪１５が内側に突出して設けられている。さらに、乾電池ボックス１１の一側部には開口部１３から底部１６に向かってスリット１７が設けられ、他側部には開口部１３から底部１６に向かって凹溝１８が設けられている。また、乾電池ボックス１１の底部１６には乾電池１４の陽極と陰極に接触するコイルばねからなる接触部１９が設けられている。
【００１９】
前記コネクタ本体１２は第１の部材２０と、この第１の部材２０に対してヒンジ部２１によって回動自在に枢支された第２の部材２２とから構成されている。第１及び第２の部材２０，２２はそれぞれ合成樹脂材料によって一体に成形され、第１の部材２０は乾電池ボックス１１の内部に開口部１３から挿脱自在な角筒状に形成されている。第２の部材２２も乾電池ボックス１１の内部に開口部１３から挿脱自在な角筒状に形成されている。第２の部材２２の内部には電気回路（図示しない）が設けられ、この基端面には乾電池１４の陽極と陰極に接触するコイルばねからなる接触部２３が、先端面には携帯電話機２４の端子２５に接続されるコネクタ部２６が突出して設けられている。
【００２０】
第１と第２の部材２０，２２とを連結するヒンジ部２１は円環状であり、乾電池ボックス１１のスリット１７に挿入される幅に形成され、コネクタ本体１２を乾電池ボックス１１に対して突没する際の指掛け部２７を形成している。さらに、ヒンジ部２１の中央部にはストラップ用穴２８が設けられている。
【００２１】
また、第１の部材２０の端部でヒンジ部２１と反対側には係止爪２９が第１の部材２０の内外方向に弾性変形可能に設けられ、この係止爪２９と対向する第２の部材２２の端部には係止爪２９と係脱可能な係合穴３０が設けられている。そして、第１の部材２０に対して第２の部材２２をヒンジ部２１を支点として接合する方向に回動すると、係止爪２９と係合穴３０が互いに係合して第１の部材２０と第２の部材２２とが一体的に結合されるようになっている。なお、係止爪２９を指先で内側へ押し込むと、係止爪２９と係合穴３０との係合が解除される。
【００２２】
さらに、第１の部材２０と第２の部材２２の両側面には乾電池ボックス１１の内面に設けられた係合爪１５に対応し、この係合爪１５と嵌合する嵌合溝３１が設けられ、この嵌合溝３１の一端部には係合爪１５と係合して乾電池ボックス１１からの第１の部材２０と第２の部材２２の突出量を規制する係合段部３２が設けられ、乾電池ボックス１１とコネクタ本体１２との係合手段を構成している。
【００２３】
このように構成された携帯電話機用充電器１０は、乾電池ボックス１１に単４の乾電池１４を収納していない状態においては、コネクタ本体１２を乾電池ボックス１１の内部に押し込むと、ヒンジ部２１がスリット１７の内部を摺動し、係合爪１５が嵌合溝３１を摺動しながらコネクタ本体１２が乾電池ボックス１１の内部に収納される。すなわち、図４に示すように、乾電池ボックス１１に乾電池１４を収納しない空の状態においてはコネクタ部２６を含むコネクタ本体１２の全体が乾電池ボックス１１に没入され、全長の略１／２の長さに短縮する。
【００２４】
コネクタ本体１２が乾電池ボックス１１の内部に収納された状態においては、コネクタ本体１２の外面と乾電池ボックス１１の内面との弾性的な圧接によってコネクタ本体１２が乾電池ボックス１１から不用意に飛び出すことはなく、コネクタ本体１２が乾電池ボックス１１の内部に収納された状態に保持される。従って、乾電池ボックス１１の開口部１３からコネクタ部２６が突出して障害物と干渉することはなく、ストラップ用穴２８に利用して携帯電話機２４に吊下げて携帯電話機用充電器１０を携帯できる。
【００２５】
また、携帯電話機２４の電池が消耗して充電する必要が生じたとき、携帯電話機２４から携帯電話機用充電器１０を取り外し、指掛け部２７に手指を掛けてスリット１７の開口端に向かってコネクタ本体１２を押し出すと、コネクタ本体１２が乾電池ボックス１１の開口部１３から突出する。このとき、係合爪１５が嵌合溝３１を摺動しながらコネクタ本体１２が乾電池ボックス１１から突出するが、係合爪１５が嵌合溝３１の係合段部３２に係合してコネクタ本体１２の突出量が規制される。
【００２６】
次に、係止爪２９を指先で内側へ押し込むと、係止爪２９と係合穴３０との係合が解除され、コネクタ本体１２の第１の部材２０に対して第２の部材２２がヒンジ部２１を支点として回動でき、第１の部材２０の開口部が開口する。そこで、第１の部材２０の開口部から単４の２本の乾電池１４を収納すると、２本の乾電池１４は乾電池ボックス１１の内部に平行に収納される。そして、第１の部材２０に対して第２の部材２２をヒンジ部２１を支点として回動して第１の部材２０の開口部を閉塞すると、係止爪２９と係合穴３０が互いに係合して第１の部材２０と第２の部材２２とが一体的に結合される。
【００２７】
２本の乾電池１４が乾電池ボックス１１に収納されると、乾電池１４の陽極と陰極は接触部１９，２３に導通状態に接触し、電気回路を介してコネクタ部２６に導通状態となる。従って、コネクタ部２６を携帯電話機２４の端子２５に接続することにより、携帯電話機２４に内蔵された電池を充電することができる。
【００２８】
このように携帯電話機２４の電池が消耗し、この内蔵電池に充電をするときに、乾電池ボックス１１に乾電池１４を収納し、コネクタ部２６を携帯電話機２４の端子２５に接続すればよく、乾電池１４を収納した充電器１０を携帯する必要がなく、空の充電器１０のみを携帯すればよい。従って、図６に示すように、小型軽量であり、充電器１０を携帯電話機２４に吊下げてアクセサリーとして携帯可能である。さらに、乾電池ボックス１１及びコネクタ本体１２は、合成樹脂成形品であり、合成樹脂の弾性を利用して互いに嵌合結合されるため、組立て時にビス等が不要であり、組立て作業性が向上し、コストダウンを図ることができる。
【００２９】
なお、前記実施形態においては、単４の乾電池について説明したが、乾電池の種類に限定されるものではない。また、乾電池の接続は、直列、並列のいずれでもよい。
【００３０】
なお、本発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００３１】
【図１】本発明の第１の実施形態を示す携帯電話機用充電器の斜視図。
【図２】同実施形態を示す携帯電話機用充電器の斜視図。
【図３】同実施形態を示し、乾電池ボックスから乾電池を抜き取った状態の斜視図。
【図４】同実施形態を示し、乾電池ボックスにコネクタ本体を没入した状態の斜視図。
【図５】同実施形態を示し、乾電池ボックスとコネクタ本体とを分解した状態の縦断側面図。
【図６】同実施形態を示し、充電器を携帯電話機にストラップアクセサリーとして吊下げた状態の斜視図。
【符号の説明】
【００３２】
１１…乾電池ボックス、１２…コネクタ本体、１４…乾電池、１９，２３…接触部、２０…第１の部材、２１…ヒンジ部、２２…第２の部材、２４…携帯電話機、２５…端子、２６…コネクタ部
【図１】
2008172954.tif 000003
【図２】
2008172954.tif 000004
【図３】
2008172954.tif 000005
【図４】
2008172954.tif 000006
【図５】
2008172954.tif 000007
【図６】
2008172954.tif 000008